(57)【要約】
【課題】  上方が開放された蓋のない防火水槽に対して、防火水槽の上方からの作業だけで蓋を着脱可能に設置することが可能な防火水槽蓋を提供する。
【解決手段】  周壁３によって囲まれる上面開口部を有する防火水槽２に対し、両端が防火水槽２の上面開口部の上方に架け渡される横架部材１０と、上面開口部を覆う部材である複数の板材１１を有し、複数の板材１１を横架部材１０の長手方向に沿って並設してなる覆い部４０と、並設された複数の板材１１同士の接合部分に対して設けられ、覆い部４０上方からの作業により複数の板材１１同士を連結させることが可能な第一連結部材と、複数の板材１１に含まれる少なくとも一枚の部材である孔付板材１２と、孔付板材１２に装着される蓋体１５とを具備する。
【選択図】  図１
0003101263.tif 000002
【実用新案登録請求の範囲】
【請求項１】
周壁によって囲まれる上面開口部を有する防火水槽に対し、両端が前記周壁の上面に載置され、前記上面開口部の上方に架け渡される横架部材と、
前記上面開口部を覆う部材であって、前記横架部材の長手方向に対して略垂直に配設され、一端側が前記横架部材に支持されるとともに他端側が前記周壁の上面に支持される複数の板材を有し、前記複数の板材を前記横架部材の長手方向に沿って並設してなる覆い部と、
並設された前記複数の板材同士の接合部分に対して設けられ、前記覆い部上方からの作業により前記複数の板材同士を連結させることが可能な第一連結部材と、
前記複数の板材に含まれる少なくとも一枚の部材であって、消火用ホースを前記防火水槽内に挿入可能な大きさの貫通孔が穿設された孔付板材と、
前記貫通孔を塞ぐ蓋体と
を具備することを特徴とする防火水槽蓋。
【請求項２】
前記第一連結部材は、前記複数の板材同士の接合部分に沿って配設される長尺形状の部材であり、
前記第一連結部材の上面に、一方の板材の底面が溶着された溶着領域と、他方の板材の底面に当接し前記複数の板材の上方から螺着されるボルトによって締結される締結領域と
が設けられていることを特徴とする請求項１に記載の防火水槽蓋。
【請求項３】
前記覆い部は、少なくとも一辺端部が下方に屈曲し、さらに内側方向に略直角に屈曲して前記周壁の上面に対して当接されている当接部と、
他辺端部付近から垂下され、前記周壁の上面よりも下方に延出されている延出部と
を有することを特徴とする請求項１または請求項２に記載の防火水槽蓋。
【請求項４】
前記延出部に対して、側方から取付け可能な部材であって、互いに接合する板材同士を連結させる第二連結部材を備えることを特徴とする請求項３に記載の防火水槽蓋。
【請求項５】
前記覆い部の表面には、全体にわたって形成された複数の突起を有し、前記突起によって靴底及び前記覆い部の摩擦係数を増加させる滑り止め防止手段が設けられていることを特徴とする請求項１乃至請求項４のいずれか一つに記載の防火水槽蓋。
【請求項６】
前記覆い部は、前記横架部材を中心として線対称に形成され、前記横架部材側に向かって高くなる山形形状を呈することを特徴とする請求項１乃至請求項５のいずれか一つに記載の防火水槽蓋。
【考案の詳細な説明】
【技術分野】
【０００１】
本考案は、防火水槽蓋に関するものであり、特に、上方が開放された防火水槽に対して、上方からの作業によって着脱可能に取付けることができ、施工または改修の際にかかる手間を軽減することが可能な防火水槽蓋に関するものである。
【背景技術】
【０００２】
防火水槽には、上方が開放された形状のものがある。このように上方が開放されていることで、例えば、火事等の緊急事態が起きた場合には、この開放された部分から水を吸引することにより、消火活動を行なうことができるものである。また、危険防止のために周囲を網状のフェンス等を用いて囲い、防火水槽へ近づけないようにしたものがある。けれども、防火水槽の上方は依然開放されたままである。
【０００３】
また、防火水槽の上方が開放されているため、この部分から日光が進入することによって、水中に藻を発生させてしまうことがある。水中内に藻が繁殖してしまうと、例えば、火事が発生した場合に、消防車がホースを使って消火活動をするために、防火水槽内の水を吸引しようとしても、藻がホースへの吸引動作の邪魔をして消火活動に影響を及ぼしてしまうことがある。
【０００４】
また、消防車等による消火活動を円滑に行うために、防火水槽の多くは道路脇に設置されている。しかし、道路から近いことで、例えば、人によって道路脇に捨てられたごみ等が防火水槽内に入り込む場合がある。これにより、さらに防火水槽内の水質状態を悪化させている。
【０００５】
そこで、上方が開放されている防火水槽に対して、蓋を設置することが行なわれている。図５（ａ）は、防火水槽１０２の上端に取付けられた防火水槽蓋１０１の平面図であり、図５（ｂ）は、防火水槽１０２のＸ−Ｘ断面図である。詳しくは、防火水槽１０２の底部１０３に下端を当接するようにして鉛直支柱１１０が列設されており、この鉛直支柱１１０の上端は梁１１２を支持している。また、鉛直支柱１１０と直交し、防火水槽１０２の内壁１０４の、対向する夫々の辺にわたって水平支柱１１１が設けられている。この水平支柱１１１は、支柱クランプ１１３によって鉛直支柱１１０と連結されている。防火水槽１０２の周壁１０５の上面１０６には縁枠１２０が設けられており、この縁枠１２０に対して、梁１１２と直交する方向に蓋板１２１が並設されている。この蓋板１２１が複数並設されることで蓋体１２２となる。この複数並設されている蓋板１２１は、ボルト及びナットからなる締結具１１４によって蓋板１２１同士が固定されており、さらに、蓋板クランプ１１５によって、蓋板１２１の長手方向の両端部は縁枠１２０に連結されている。また、マンホール１３０にはマンホール蓋１３２が設けられており、マンホール１３０を支持するためのマンホール梁１３１がマンホール１３０を囲むように矩形状に設けられている。
【０００６】
出願人は、本願出願時において以上の従来技術が記載されている文献として以下のものを知見している。
【特許文献１】特開２００２−４３５１号公報
【考案の開示】
【考案が解決しようとする課題】
【０００７】
しかし、上記の特許文献１の場合、防火水槽１０２の周壁１０５の上面１０６に蓋体１２２を設けるには、まず、防火水槽１０２の内側に作業者が入って防火水槽１０２の底部１０３に鉛直支柱１１０を設置しなければならない。このため、防火水槽１０２の内部から水を排出して空の状態にしなければ鉛直支柱１１０を設置することはできなかった。さらに、蓋体１２２は複数の蓋板１２１を並設して構成されるものであり、この蓋板１２１は下側に屈曲した部分をボルト及びナットからなる締結具１１４によって連結する構造になっている。このため、防火水槽１０２の周壁１０５の上面１０６に蓋体１２２を設置するためには、複数の蓋板１２１を防火水槽１０２の周壁１０５の上面１０６に並設した後で、防火水槽１０２の内側から、夫々の蓋板１２１を固定するためのボルト及びナットからなる締結具１１４と、夫々の蓋板１２１を縁枠１２０に固定するための蓋板クランプ１１５とを用いて作業者が連結しなければならなかった。このように、防火水槽１０２に蓋体１２２を設置するためには大変な手間と労力を要するものであった。
【０００８】
そこで本考案は、上方が開放された蓋のない防火水槽に対して、上方からの作業だけで蓋を着脱可能に取付けることが可能な防火水槽蓋を提供するものである。
【課題を解決するための手段】
【０００９】
本考案にかかる防火水槽蓋は、周壁によって囲まれる上面開口部を有する防火水槽に対し、両端が前記周壁の上面に載置され、前記上面開口部の上方に架け渡される横架部材と、前記上面開口部を覆う部材であって、前記横架部材の長手方向に対して略垂直に配設され、一端側が前記横架部材に支持されるとともに他端側が前記周壁の上面に支持される複数の板材を有し、前記複数の板材を前記横架部材の長手方向に沿って並設してなる覆い部と、並設された前記複数の板材同士の接合部分に対して設けられ、前記覆い部上方からの作業により前記複数の板材同士を連結させることが可能な第一連結部材と、前記複数の板材に含まれる少なくとも一枚の部材であって、消火用ホースを前記防火水槽内に挿入可能な大きさの貫通孔が穿設された孔付板材と、前記貫通孔を塞ぐ蓋体とを具備するものである。
【００１０】
ここで、「貫通孔」としては、少なくとも消火用ホースが挿入可能な大きさであればよく、貫通孔の大きさは特に限定されるものではない。例えば、消火用ホースの直径と略同じ大きさの採水口程度の大きさとしてもよい。この場合には、人が防火水槽に転落しなくなる。また、防火水槽の内部に人が入れる程度の大きさのマンホールであってもよい。この場合には、防火水槽蓋を取付けたまま防火水槽の内側に作業者が入れることから、防火水槽の内側の掃除、または点検が容易になる。
【００１１】
また、「横架部材」としては、複数の板材を支持し、さらに、防火水槽蓋の上に少なくとも一人の作業者が乗った場合でも耐えることができる程度のものであればよい。具体的には、アルミニウム、鉄、合金等の金属の鋼材から構成される横架部材が例示される。
【００１２】
この防火水槽蓋によれば、横架部材は防火水槽の上面開口部に対して掛け渡され、さらに、横架部材に複数の板材の一端が支持されて、複数の板材の他端側が周壁の上面に支持される格好で配設されている。つまり、複数の板材よって防火水槽の上面開口部が覆われることになる。また、並設された複数の板材の接合部分には第一連結部材が備えられている。これによれば、接合する板材同士が第一連結部材によって連結されることで、上方からの作業によって取付けることができる。また、複数の板材のうち、少なくとも一枚は、消火用ホースを防火水槽内に挿入可能な大きさの貫通孔が穿設されている。これによれば、連結された複数の板材を分解することなく、防火水槽の内側へ消火用ホースを挿入することができる。また、貫通孔を塞ぐための蓋体が備えられている。これによれば、消火用ホースを防火水槽の内側に挿入しないときには、貫通孔を塞ぐことにより、例えば、防火水槽内にごみが入り込まなくなる。
【００１３】
さらに、本考案にかかる防火水槽蓋において、「前記第一連結部材は、前記複数の板材同士の接合部分に沿って配設される長尺形状の部材であり、前記第一連結部材の上面に、一方の板材の底面が溶着された溶着領域と、他方の板材の底面に当接し前記複数の板材の上方から螺着されるボルトによって締結される締結領域とが設けられている」構成とすることができる。
【００１４】
この防火水槽蓋によれば、第一連結部材の上面は機能的に区分けされており、その一方には溶着領域が設けられ、この部分が板材の一辺側に溶着されている。これによれば、板材の一方側に第一連結部材が溶着されることによって、その板材に対して一体的に構成されることから、組付ける際に防火水槽の中に第一連結部材が落下することはなく、また、組付け作業が簡略される。さらに、第一連結部材の他方には締結領域が設けられている。これによれば、板材に対して一体的に溶着された第一連結部材は、複数の板材が防火水槽の上面開口部に対して並設されることで、接合する板材の底面と当接することから、上方からのボルトによる締結作業だけで夫々の板材を連結することができる。また、第一連結部材が複数の板材の下面に設けられることで、板材の上面には突出しないことから作業者が躓くことがない。
【００１５】
さらに、本考案にかかる防火水槽蓋において、「前記覆い部は、少なくとも一辺端部が下方に屈曲し、さらに内側方向に略直角に屈曲して前記周壁の上面に対して当接されている当接部と、他辺端部付近から垂下され、前記周壁の上面よりも下方に延出されている延出部とを有する」構成とすることができる。
【００１６】
この防火水槽蓋によれば、覆い部には、周壁の上面よりも下方に延出されている延出部が設けられている。これによれば、例えば、外側方から防火水槽蓋に対して衝撃が加わった場合でも、延出部が周壁と当接することによって水平方向の移動を抑制することができる。また、覆い部の少なくとも一辺端部には当接部が備えられている。これによれば、現場で適宜、防火水槽蓋の形状を合わせることができる。つまり、加工精度が低くても、容易に設置することができるので、加工にかかるコストを削減することができる。
【００１７】
さらに、本考案にかかる防火水槽蓋において、「前記延出部に対して、側方から取付け可能な部材であって、互いに接合する板材同士を連結させる第二連結部材を備える」構成とすることができる。
【００１８】
この防火水槽蓋によれば、並設され、接合する板材の延出部に対して側方から第二連結部材が連結されている。これによれば、並設され、互いに接合する板材同士が強固に連結されるので、複数の板材の、横架部材の長手方向への移動防止が確実になる。また、複数の板材が並設された後から容易に連結することができる。また、防火水槽から複数の板材を取外す場合であっても、簡単に取外すことができる。
【００１９】
さらに、本考案にかかる防火水槽蓋において、「前記覆い部の表面には、全体にわたって形成された複数の突起を有し、前記突起によって靴底及び前記覆い部の摩擦係数を増加させる滑り止め防止手段が設けられている」構成とすることができる。
【００２０】
ここで、「靴底」とは、覆い部の上に乗る人の靴底であり、火事などの消火活動をする人や、防火水槽蓋を設置する人、防火水槽の保守及び点検をする人の靴底が例示される。
【００２１】
この防火水槽蓋によれば、覆い部の表面に突起を設けることで、突起部分と靴底との間の摩擦力が大きくなるので、覆い部の上に乗る人が滑るのを防止することができる。
【００２２】
さらに、本考案にかかる防火水槽蓋において、「前記覆い部は、前記横架部材を中心として線対称に形成され、前記横架部材側に向かって高くなる山形形状を呈する」構成とすることができる。
【００２３】
この防火水槽蓋によれば、覆い部が横架部材を中心に山形形状を呈している。つまり、横架部材の上面側を頂辺として下り傾斜して設けられている。これによれば、例えば、雨が降った場合、下り傾斜している覆い部表面に従って、雨が速やかに流れ出されることにより、覆い部表面に水が溜まらないので覆い部表面が錆びなくなる。また、覆い部表面に水が溜まらないことから、苔が発生しないので、覆い部表面の摩擦係数の減少を抑制することができる。
【考案の効果】
【００２４】
本考案によれば、上方が開放されている防火水槽に対して、上方からの作業によって防火水槽蓋を着脱可能に取付けることができるので、面倒な防火水槽内の水抜き作業や、防火水槽の内側からの取付け作業をしなくても、防火水槽に蓋を取付けることができる。従って、設置・施工にかかる手間と労力が抑制される。
【考案を実施するための最良の形態】
【００２５】
以下、本考案の実施形態である防火水槽蓋１について、図１乃至図４に基づき説明する。図１は、防火水槽蓋１の全体構成を示す斜視図であり、図２は防火水槽蓋１の一部を分解した状態を示す分解斜視図であり、図３は防火水槽蓋１の構成を示す平面図であり、図４は防火水槽蓋１のＡ−Ａ断面図である。
【００２６】
本考案の防火水槽蓋１は、主に、Ｈ鋼から構成された横架部材１０と、複数の板材１１と、複数の板材１１を連結する、角パイプから構成された第一連結部材１４とを備えている。
【００２７】
横架部材１０は、図１乃至図４に示すように、長尺形状を呈しており、防火水槽２の周壁３の上面４に両端部を当接して略中央に架け渡されている。また、図２に示すように、横架部材１０の下面には、防火水槽２の内壁（図示しない）と当接する係止具４１が設けられている。この係止具４１は、横架部材１０が防火水槽２内へ落下しないように取付けられている。
【００２８】
複数の板材１１は、図１乃至図４に示すように、板状の鋼板によって形成されており、表面には縞模様の突起２５が設けられている。この突起２５が本考案の滑り止め防止手段に相当する。尚、図１乃至図３に示す突起２５は、複数の板材１１の表面全体に形成されているが、図面では便宜上一部のみ形成したものを示している。複数の板材１１は、横架部材１０の長手方向に対して略垂直に配設されており、一端側を横架部材１０の上面において固定され、他端側を防火水槽２の周壁３の上面４において支持されている。詳しくは、横架部材１０に固定される複数の板材１１の一端側にはボルト１６を通すための貫通孔５０が開けてあり、また、横架部材１０の上面にはボルト１６を螺着するための螺着孔５１が設けられている。この複数の板材１１を防火水槽２の上面開口部５に並設することで覆い部４０が形成されている。また、複数の板材１１には、後述する、第一連結部材１４を連結するための貫通孔５３が設けられている。横架部材１０の両端部に配置されている板材１１には、板材側部１８が取付けられており、この板材側部１８の下面端部は内側に屈曲している。また、図示しないが、複数の板材１１の裏面側には、長手方向の略中央付近に補強材が設けられている。また、防火水槽２の上面開口部５に対して並設されている複数の板材１１は、横架部材１０と当接する一端側部分が、防火水槽２の周壁３の上面４と当接する他端側部分よりも上方に位置している。換言すると、複数の板材１１は、横架部材１０と当接する一端側部分を頂辺２６として防火水槽２の周壁３の上面４に向かって下り傾斜している。例えば、図４に示すように、上下方向に対して高低差hがあり、複数の板材１１は横架部材１０に向かって高くなる山形形状を呈している。この高低差ｈは約１度の勾配になっている。
【００２９】
孔付板材１２は、複数の板材１１に含まれる一枚であり、上下方向に貫通したマンホール１３が設けられている。ここで、マンホール１３が本考案の貫通孔に相当する。このマンホール１３は、作業者が防火水槽２の内側に入って作業するために使用したり、火事等の消火活動を行う場合に、水を吸引するためのホース挿入口として使用する。また、通常、マンホール１３を塞いでおくためにマンホール１３と略同程度の大きさの蓋体１５が設けられている。蓋体１５の表面には、中心部分が円形で、中心部分から細長く伸びた縦長形状の持上げ孔３０が二箇所設けられている。この持上げ孔３０は、蓋体１５を持上げるためのものであり、別途用いられる棒（図示しない）が挿入される部分である。詳しく説明すると、棒の先端部分には、持上げ孔３０の縦長形状部分よりも僅かに小さい突起が形成されており、この棒の先端部分を持上げ孔３０に挿入し、棒を周方向に約９０度回転させることで突起が蓋体３０の裏面と当接する状態になる。この当接した状態から棒を引き上げると、蓋体３０の裏面に当接していた棒が蓋体３０の裏面を係止するので、蓋体３0が持上げられ、マンホール１３が開放される。
【００３０】
第一連結部材１４は、図２及び図４に示すように、長尺形状を呈しており、横架部材１０に対して略垂直に設けられている。この第一連結部材１４の上面は、夫々の板材１１の下面と当接する部分である。詳しく説明すると、一方は溶接によって複数の板材１１の下面に固着された部分２０を有している。この固着された部分２０が本考案の溶着領域に相当する。また他方は、隣接する複数の板材１１の下面と当接し、ボルト１６を螺着するための螺着孔３１が設けられている。この螺着孔３１を備える他方の部分２１が本考案の締結領域に相当する。また、図２及び図４に示すように、横架部材１０の近傍に位置する第一連結部材１４の一端側は、横架部材１０のくびれた部分に溶接された補助支持部３４の上面に支持されている。つまり、第一連結部材１４は、補助支持部３４を介して横架部材１０に支持されている。
【００３１】
防火水槽２の周壁３の上面４に当接する複数の板材１１の一辺側には、防火水槽２の外縁部分６から下方に屈曲して延出している延出部２２が設けられている。また、他辺側には、防火水槽２の外縁部分６から下方に屈曲して、さらに、防火水槽２の周壁３の上面４と当接している部分で内側方向に略直角に屈曲している当接部２３が設けられている。
【００３２】
延出部２２の外側面には、接合する複数の板材１１同士を互いに連結する連結金具１７が設けられている。詳しく説明すると、連結金具１７の一方は、溶接によって互いに接合する板材１１の延出部２２に固着され、他方はボルト１６を締結するための長孔３２が設けられている。この長孔３２にボルト１６を挿通して、延出部２２の外側面に設けられた螺着孔５２に固定することで、互いに接合する板材１１同士の連結を補強する。ここで、連結金具１７が本考案の第二連結金具に相当する。また図４に示すように、延出部２２の内側面に溶接され、防火水槽２の周壁３の上面４と当接して板材１１を支持する支持金具３３が設けられている。
【００３３】
次に、防火水槽蓋１の組付方法について説明する。最初に、防火水槽２の上面開口部５の対向する辺に対して横架部材１０を架け渡す。次に、一端側に第一連結部材１４が取付けられている夫々の板材１１を、横架部材１０と略垂直に複数の板材１１を接合するように順次並設して、防火水槽２の上面開口部５を覆っていく。この防火水槽２の上面を覆う複数の板材１１のうち、少なくとも一枚はマンホール１３を備えた孔付板材１２によって構成されている。この孔付板材１２は複数の板材１１と同様の外周形状であることから、複数の板材１１の代わりに孔付板材１２を取付けることができる。次に、設置する複数の板材１１として、延出部２２を備えた複数の板材１１から先に設置していく。詳しくは、複数の板材１１の延出部２２を周壁３の外縁部分６に当接するように設置して、さらに、複数の板材１１を並設してから、当接部２３を備える複数の板材１１を、防火水槽２の周壁３の上面４に当接部２３が当接するように設置する。この当接部２３は、水平方向に平坦な面を有していることから、防火水槽２の外縁部分６の寸法が多少違っている場合であっても、現場で調節することで設置ができる。そして、接合する板材１１同士を連結するために、上方から作業者が貫通孔５３にボルト１６を挿通して、第一連結部材１４の螺着孔３１に締結する。また、貫通孔５０にボルト１６を挿通して、横架部材１０の螺着孔５１に締結する。同様に、複数の板材１１の側面に設けられている連結金具１７の長孔３２にボルト１６を挿通して、複数の板材１１の螺着孔５２に締結することで、接合する複数の板材１１同士が連結される。
【００３４】
このように、上記の防火水槽蓋１によれば、上方が開放されている防火水槽２に対して、一方に第一連結部材１４を備える複数の板材１１を並設することで、上方からの作業によって防火水槽蓋１を現場で調節して取付けることができることから、設置、施工にかかる手間と労力が抑制される。さらに、複数の板材１１を並設することによってなる覆い部４０の一辺端部が当接部２３を備えることで、現場において、適宜防火水槽蓋１の形状を、防火水槽２の周壁３の上面４に合わせることができる。また、他辺端部が延出部２２を備えることで、防火水槽２の周壁３と当接していることから、防火水槽蓋１の水平方向の移動を抑制することができる。さらに、接合する板材１１の延出部２２に対して側面から第二連結部材１７が連結されていることによって、並設され、互いに接合する板材１１同士が強固に連結されるので、複数の板材１１の、横架部材１０の長手方向への移動防止が確実になる。また、複数の板材１１が並設された後からでも容易に連結することができる。また、防火水槽２から複数の板材１１を取外す場合であっても簡単に取外すことができる。さらに、複数の板材１１の表面に複数の突起２５を有することで、防火水槽蓋１の上に作業者が乗った場合でも、滑るのを防止することができる。さらに、防火水槽蓋１が山形形状を呈していることから、雨が降った場合でも、防火水槽蓋１の表面から、雨が速やかに流れ出されることができる。また、延出部２２の内側面に溶接され、防火水槽２の周壁３の上面４に当接する支持金具３３を設けることで、延出部２２の奏する効果を確実に発揮させることができる。さらに、延出部２２を備える複数の板材１１を、当接部２３を備える複数の板材１１と同様の高さに維持することができる。また、横架部材１０の近傍に位置する第一連結部材１４の一端側が、補助支持具３４によって支持されることで、板材１１にかかる負担が軽減されることになる。また、横架部材１０の下面に係止具４１が設けられることで、横架部材１０を防火水槽２の周壁３の上面４に取付けるときには、横架部材１０が防火水槽２内へ落下することを防止することができる。
【００３５】
以上、本考案について好適な実施形態を挙げて説明したが、本考案はこの実施形態に限定されるものではなく、以下に示すように、本考案の要旨を逸脱しない範囲において、種々の改良及び設計の変更が可能である。
【００３６】
本実施形態では、複数の板材１１の一辺端部が下方に延出する延出部２２を備えたものを示したが、全ての辺に延出部２２を設けた複数の板材１１を用いて防火水槽蓋１を形成してもよい。これによれば、防火水槽蓋１の水平方向の移動をより確実に抑制することができる。
【００３７】
本実施形態では、複数の板材１１の一辺端部が、下方に屈曲し、さらに内側方向に略直角に屈曲して当接されている当接部２３を備えたものを示したが、全ての辺に対して当接部２３を備えた複数の板材１１を形成してもよい。これによれば、現場において、より簡単に調整して設置することができる。
【００３８】
本実施形態では、８枚の複数の板材１１によって防火水槽２を覆うものを示したが、８枚以上の複数の板材１１によって防火水槽２を覆ってもよい。これによれば、上面開口部５のより大きな防火水槽２に対しても本考案の防火水槽蓋１を設置することができる。また、８枚よりも少ない複数の板材１１によって防火水槽蓋１を形成する場合であっても、本考案と同様に防火水槽蓋１を設置することができる。
【００３９】
本実施形態では、複数の板材１１に対して孔付板材１２を一枚備えるものを示したが、孔付板材１２を複数枚備えて設けてもよい。これによれば、例えば、火事などの消火活動の際には、マンホール１５から防火水槽２の内部に多くの消火用ホースを挿入することができる。
【００４０】
本実施形態では、長方形状の防火水槽２に対して防火水槽蓋１を示したが、例えば三角形状をした防火水槽に対しても本考案を適用することができる。
【００４１】
本実施形態では、第一連結部材１４として、角パイプから構成するものを示したが、平板から構成するものであってもよい。ただし、角パイプを用いることによって、平板よりも強度が高くなる。
【００４２】
本実施形態では、複数の板材１１の表面全体に縞模様の突起２５を設けたものを示したが、円形、方形の突起を設けてもよい。つまり、防火水槽蓋１に乗る人が滑るのを防止するための突起があればよい。
【００４３】
本実施形態では、１本の横架部材１０によって複数の板材１１を支持するものを示したが、より大きな防火水槽２に適用する場合には強度的に弱くなるので、複数本の横架部材１０を用いて防火水槽蓋１を構成してもよい。尚、この複数本の横架部材１０を備える場合には、一対の横架部材１０の間にも複数の板材が架け渡されることになる。
【００４４】
本実施形態では、周壁３の上端部分が地面よりも突出した防火水槽に対して設置する場合を示したが、周壁３の上端部分が地面よりも下方に位置する防火水槽や、地面と略水平に位置する防火水槽であってもよい。このような防火水槽であっても、上方からの作業だけで容易に設置することができることから、手間と労力を抑制することができる。ところで、この場合、周壁が地面に埋設されるため、前記実施形態のように延出部を周壁の外面に当接させることはできない。そこで、この場合には、周壁の内面に当接する延出部を別部材で形成するようにすればよい。これによれば、防火水槽蓋の左右方向の動きを抑制することができる。
【図面の簡単な説明】
【００４５】
【図１】本考案の実施形態である防火水槽蓋を示す斜視図である。
【図２】防火水槽蓋の一部を分解した状態を示す分解斜視図である。
【図３】防火水槽蓋を示す平面図である。
【図４】防火水槽蓋を示す断面図である。
【図５】従来の他の防火水槽蓋を示す説明図である。
【符号の説明】
【００４６】
１  防火水槽蓋
２  防火水槽
３  周壁
４  周壁の上面
５  上面開口部
１０  横架部材
１１  板材
１２  孔付板材
１３  マンホール（貫通孔）
１４  第一連結部材
１５  蓋体
１６  ボルト
１７  連結金具（第二連結部材）
２０  溶着領域
２１  締結領域
２２  延出部
２３  当接部
２５  突起（滑り止め防止手段）
４０  覆い部
【図１】
0003101263.tif 000003
【図２】
0003101263.tif 000004
【図３】
0003101263.tif 000005
【図４】
0003101263.tif 000006
【図５】
0003101263.tif 000007